(57)【要約】【課題】  材料コストおよび製造コストを抑えた上で、光源ユニットやミラーユニットを異音やビビリ振動の発生を抑えて円滑に走行させることができるようにする。【解決手段】  原稿面からの反射光を第１ミラー１２１ｂ、第２ミラー１２２ａ、第３ミラー１２２ｂおよびレンズ部材１２３を介してＣＣＤ１２４に入光することにより原稿画像を読み取るように構成された光学系ユニット２０であり、光源ランプ１２１ａおよび第１ミラー１２１ｂを備えた光源ユニット１２１を支持する光源枠２２と、第２、第３ミラー１２２ａ，１２２ｂを備えたミラーユニット１２２を支持するミラー枠２３と、これらの光源枠２２およびミラー枠２３の走行をガイドするガイドレール２９と、枠体とガイドレール２９との間に介設される各枠２２，２３と一体の摺動部材４０とが備えられ、摺動部材４０は、ガイドレール２９と摺接する部分に高摺動性を付与するコーティング処理が施されている。【選択図】      図１
2007082006.tif 000002
【特許請求の範囲】
【請求項１】
光源からの光を原稿面に照射しながら移動することで原稿面を走査しつつ当該原稿面からの反射光をミラーを介してイメージセンサに入光することにより原稿画像を読み取る画像読取装置であって、
前記光源およびミラーを支持する枠体と、この枠体の走行をガイドするガイド部材と、前記枠体とガイド部材との間に介設される枠体と一体の摺動部材とが備えられ、
前記摺動部材には、前記ガイド部材と摺接する部分に高摺動性を有する被膜が形成されていることを特徴とする画像読取装置。
【請求項２】
前記被膜は、フッ素系樹脂によって形成されていることを特徴とする請求項１記載の画像読取装置。
【請求項３】
前記フッ素系樹脂の被膜は、フッ素系の樹脂と合成油とを速乾性溶媒中に分散させることによって得られた速乾性潤滑剤が前記摺接部材に塗布されることによって形成されていることを特徴とする請求項２記載の画像読取装置。
【請求項４】
前記枠体は、前記光源を支持する光源用枠体と、前記ミラーを支持するミラー用枠体とから構成されていることを特徴とする請求項１乃至３のいずれかに記載の画像読取装置。
【発明の詳細な説明】
【技術分野】
【０００１】
本発明は、複写機やファクシミリ装置、あるいはスキャナ等の画像形成装置への適用が好適な画像読取装置に関するものである。
【背景技術】
【０００２】
画像読取装置は、通常、筐体内で所定のガイドレールに沿って走行する光源ユニットおよびミラーユニットを備えて構成されている。筐体の上面開口にはたコンタクトガラスが嵌め込まれ、画像形成処理に供されるべき原稿は、その原稿面を下にしてコンタクトガラス上に載置されるようになっている。
【０００３】
光源ユニットは、光源ランプを有し、この光源ランプからの光をコンタクトガラス上の原稿の原稿面に照射しながら走行して原稿面を走査するようになっている。ミラーユニットは、複数のミラーを有し、原稿面からの反射光を各ミラーに順次反射させた後にＣＣＤ（ｃｈａｒｇｅ  ｃｏｕｐｌｅｄ  ｄｅｖｉｃｅ）を備えたイメージセンサに導くようになっている。かかるミラーユニットも光源ユニットの走行に同期して移動するようになっている。
【０００４】
従来、このような光源ユニットおよびミラーユニット（これらを合わせて光学系ユニットという）は、当該ユニットの枠体に設けられた車輪が所定のガイドレール上を転動することによりガイドレールにガイドされつつ移動するようになされていたが、車輪を採用すると、ベアリング等の軸受け部材が必要になって部品点数が増加するばかりか、異音が生じないスムーズな走行を確保するために潤滑油の塗布が必須となってメンテナンスコストが嵩む等の不都合が存在した。
【０００５】
かかる不都合を解消するものとして、近年、光学系ユニットとガイドレールとの間に、車輪に代えて光学系ユニットと一体の合成樹脂製の摺動部材を介設することが提案されている。かかる摺動部材の存在によって光学系ユニットはガイドレールにガイドされた円滑な走行が確保された上で、部品コストおよびメンテナンスコストの低減化に貢献することが可能になる。
【０００６】
ところで、これまでの走査光学系に用いられてきた光学系ユニットを支持する摺動部材は、ガイドレール上を滑走することによって耐久的に摩耗が進行する材料では原稿を走査するための性能に影響を及ぼす（すなわち、読み取り画像の品質を低下させてしまう）ことから、かかる不都合を回避するべく耐摩耗性に優れた材料が選定されてきた。
【０００７】
また、摺動特性の面から摺動部材とガイドレールとの間の界面に多少の潤滑剤を介在させることはあるものの、潤滑剤に頼り切って材料選定された摺動部材は、結局、耐久的な品質面で問題になるため、耐摩耗性に優れ、かつ、高摺動性を備えた材料が選ばれてきたのが実情である。
【０００８】
かかる観点から、摺動部材として比較的硬度の高い合成樹脂材料が選定されてきたのであるが、ただ単に硬度が高いだけの材料では、ガイドレールに案内されつつ移動する光学系ユニットの枠体において高周波振動が発生し、これによって走査画像の画像品質が損なわれるという新たな不都合が発生する。
【０００９】
このようなことが総合的に勘案された結果、摺動部材としてアクリロニトリルブタジエンスチレン共重合体（ＡＢＳ）やポリカーボネート（ＰＣ）等の構造物用の合成樹脂に比べて摺動性の高いポリオキシメチレン（ＰＯＭ）が採用されることがあったが、ＰＯＭ等は摩擦係数が高く、しかも耐摩耗性が劣るため、長時間の使用によって光学系ユニットがガイドレール上を精密に安定して走行し得なくなって異音やビビリ振動が発生するという不具合が生じる。従って、ＰＯＭ等を摺接部材の材料として選定しても、それを長期間に亘り使用すると結局走査画像の品質が低下するという従来の問題点を解消することができなかったのである。
【００１０】
かかる問題点を解消するべく、特許文献１には、摺動部材として超高分子量ポリエチレンを採用することの有用性について記載されている。すなわち、超高分子量ポリエチレンの無配向部分をガイドレールとの摺接部分に採用することにより、摺動部材の摩擦特性がＰＯＭ等より優れたものになるとともに、超高分子量ポリエチレンの分子が一方向に並んだ配向部分を光学系ユニットの枠体に固定される部分に採用することにより、摺動部材の強度的な特性が向上すると記載されている。
【特許文献１】特開平６−２１８７５２号公報
【発明の開示】
【発明が解決しようとする課題】
【００１１】
しかしながら、特許文献１に記載の摺動部材は、全体的に高価な超高分子量ポリエチレンが採用され、かかる材料が大量に用いられるのであるから材料コストが嵩むという問題点を有している。
【００１２】
また、超高分子量ポリエチレンの無配向部分がガイドレールとの摺接部分に採用される一方、配向部分が各ユニットのフレームとの接合部分に採用されるなど同一部材でありながら部位により性質の異なるものが採用されるのであるから製造が困難であり、製造コストが嵩むという問題点も存在する。
【００１３】
そこで、超高分子量ポリエチレンに代えて安価な材料であるポリアミド系の合成樹脂が採用されることがあるが、ポリアミド系の合成樹脂は吸湿性を有し、これに起因して寸法安定性が劣るため、この点でポリアミド系の合成樹脂は、精密な寸法安定性が要求される摺動部材の材料として好ましいものではない。
【００１４】
本発明は、かかる状況に鑑みなされたものであって、材料コストおよび製造コストを抑えた上で、光源ユニットやミラーユニットを異音やビビリ振動（高周波によりビリビリ振るえるような振動数の高い振動）の発生を抑えて円滑に走行させることができ、これによって走査画像の品質の劣化を確実に防止することができる画像読取装置を提供することを目的としている。
【課題を解決するための手段】
【００１５】
請求項１記載の発明は、光源からの光を原稿面に照射しながら移動することで原稿面を走査しつつ当該原稿面からの反射光をミラーを介してイメージセンサに入光することにより原稿画像を読み取る画像読取装置であって、前記光源およびミラーを支持する枠体と、この枠体の走行をガイドするガイド部材と、前記枠体とガイド部材との間に介設される枠体と一体の摺動部材とが備えられ、前記摺動部材には、前記ガイド部材と摺接する部分に高摺動性を有する被膜が形成されていることを特徴とするものである。
【００１６】
かかる構成によれば、光源からの光を原稿面に照射しながら光源およびミラーを支持する枠体をガイド部材に沿って走行させることにより、原稿面からの反射光がミラーを介してイメージセンサに入光され、これによって原稿の原稿画像がデータとして入力されることになる。
【００１７】
そして、光源およびミラーを支持する枠体とガイド部材との間には枠体と一体の摺動部材が介設されているため、この摺動部材の存在でガイド部材にガイドされる枠体の走行が円滑に行われる。しかも、摺動部材にはガイド部材と摺接する部分に高摺動性を有する被膜が形成されているため、枠体の円滑な走行性を確保した上で、従来のように摺動部材を全体的に高価な低摩擦性材料で形成させる場合に比較し製造が容易で製造コストの低減化に貢献しつつ、しかもコーティングであるから処理が部分的であり、その分材料コストの低減化が達成される。
【００１８】
また、従来は摺動部材としてある程度硬度の高い自己潤滑性材料が用いられる場合が多く、これによって摺動部材がガイドレールと摺動するに際し高周波振動の生じることが多かったが、摺動部材には、ガイド部材と摺接する部分にのみ高摺動性を有する被膜が形成されているだけであるため、被膜が形成される基材として高周波振動が生じないような材料を選択することが可能になり、高性能の摺動部材を製造するための選択肢を広げることができる。
【００１９】
請求項２記載の発明は、請求項１記載の発明において、前記コーティング処理は、フッ素系樹脂によって形成されていることを特徴とするものである。
【００２０】
かかる構成によれば、フッ素樹脂は優れた低摩擦性の材料であり、摺動部材がコーティング処理によりかかるフッ素樹脂の被膜に覆われることで、枠体は、摺動部材を介して円滑に走行する。
【００２１】
請求項３記載の発明は、請求項２記載の発明において、前記フッ素系樹脂の被膜は、フッ素系の樹脂と合成油とを速乾性溶媒中に分散させることによって得られた速乾性潤滑剤が前記摺接部材に塗布されることによって形成されていることを特徴とするものである。
【００２２】
かかる構成によれば、フッ素系の樹脂は、所定の合成油と混合されることにより、コーティングに適した濃度に調製される。そして、かかるフッ素系の樹脂と合成油との混合物が速乾性の溶液中に分散されて速乾性潤滑剤が形成されるため、例えばこの速乾性潤滑剤中に摺動部材を浸漬して引き上げることにより速乾性の溶液は直ちに揮散し、これによって摺動部材の表面に即座にコーティング処理が施される。
【００２３】
このように、フッ素系の樹脂と合成油とを速乾性溶媒中に分散させることにより得られた速乾性潤滑剤によってフッ素系樹脂の被膜を形成することにより、摺動部材に対するフッ素系樹脂のコーティング処理が容易に行われる。
【００２４】
請求項４記載の発明は、請求項１乃至３のいずれかに記載の発明において、前記枠体は、前記光源を支持する光源用枠体と、前記ミラーを支持するミラー用枠体とから構成されていることを特徴とするものである。
【００２５】
かかる構成によれば、枠体として光源を支持する光源用枠体と、ミラーを支持するミラー用枠体とに分けることにより、両枠体の速度を異ならせて走行させることが可能になるため（具体的にはミラー用枠体の速度を光源用枠体の速度の１／２に設定することができるため）、イメージセンサを固定した状態で光源からイメージセンサまでの距離を一定に保つことができ、これによって原稿の画像情報を適正に読み取ることが可能になる。
【発明の効果】
【００２６】
請求項１記載の発明によれば、光源およびミラーを支持する枠体とガイド部材との間に介設された、枠体と一体の摺動部材には、ガイド部材と摺接する部分に高摺動性を有する被膜が形成されているため、枠体の円滑な走行性を確保した上で、従来のように摺動部材を全体的に高価な低摩擦性材料で形成させる場合に比較し製造が容易で製造コストの低減化に貢献することができるばかりか、被膜は部分的に形成させることが可能であり、摺動部材が全体的に高摺動性を備えた材料で形成されている場合に比較し、材料コストの低減化に寄与することができる。
【００２７】
請求項２記載の発明によれば、被膜としてフッ素系樹脂が採用されているため、フッ素樹脂は優れた低摩擦性の材料であり、枠体は、摺動部材がフッ素樹脂の被膜に覆われることで円滑に走行することができる。
【００２８】
請求項３記載の発明によれば、フッ素系の樹脂と合成油とを速乾性溶媒中に分散させることにより得られた速乾性潤滑剤によって摺動部材にはフッ素系樹脂の被膜が形成されているため、摺動部材に対するフッ素系樹脂のコーティング処理を容易に行うことができる。
【００２９】
請求項４記載の発明によれば、枠体として光源を支持する光源用枠体と、ミラーを支持するミラー用枠体とに分けることにより、両枠体の速度を異ならせて走行させることが可能になるため、イメージセンサを固定した状態で光源からイメージセンサまでの距離を一定に保つことができ、これによって原稿の画像情報を適正に読み取ることができる。
【発明を実施するための最良の形態】
【００３０】
図１は、本発明に係る画像読取装置が適用された画像形成装置の一例を示す側面断面視の説明図である。画像形成装置１０は、原稿Ｐ１の原稿画像を読み取り、この読み取った画像を用紙Ｐ２へ転写し、この画像が転写された用紙Ｐ２を排出するように構成されたものであり、原稿画像を読み取るための原稿Ｐ１を載置するための原稿自動送り部１１と、この原稿自動送り部１１に載置された原稿Ｐ１から原稿画像を読み取る画像読取部１２と、この画像読取部１２で読み取られた原稿画像を用紙Ｐ２にトナー画像として転写する作像部１３と、この作像部１３で転写された用紙のトナー画像を定着する定着部１４と、前記作像部１３に向けて給紙する用紙Ｐ２を貯留する用紙貯留部１５とが、箱形を呈した装置本体に装着されることによって構成されている。
【００３１】
本発明に係る画像読取装置は、本実施形態においては、画像形成装置１０の一構成要素である画像読取部１２として適用されている。すなわち、画像読取部（画像読取装置）１２は、原稿自動送り部１１から送出され、コンタクトガラス１１５に密着した原稿画像を走査する光学系ユニット２０を備えて構成されている。この光学系ユニット２０としては、移動しながら原稿画像に光を照射する光源ユニット１２１と、この光源ユニット１２１からの光の原稿画像における反射光を所定の光路に沿うように反射するミラーユニット１２２とが設けられている。ミラーユニット１２２から出た光は、レンズ部材１２３で収束された後、ＣＣＤ（ｃｈａｒｇｅ  ｃｏｕｐｌｅｄ  ｄｅｖｉｃｅ：イメージセンサ）１２４へ入力されるようになっている。
【００３２】
前記光源ユニット１２１は、その移動方向と直交する水平方向（図１の紙面に直交する方向）に長尺の光源ランプ１２１ａと、この光源ランプ１２１ａからの光の原稿Ｐ１からの反射光をミラーユニット１２２へ向けてさらに反射させる第１ミラー１２１ｂとを備えている。前記ミラーユニット１２２は、第１ミラー１２１ｂからの光を下方へ向けて反射させる第２ミラー１２２ａと、この第２ミラー１２２ａからの反射光を図１における右方に向けて反射させる第３ミラー１２２ｂとを備えている。
【００３３】
そして、光源ユニット１２１がコンタクトガラス１１５と平行に図１における右方に向けて移動しながらコンタクトガラス１１５を介して原稿Ｐ１の原稿面に照射した光源ランプ１２１ａからの光の反射光が第１ミラー１２１ｂ、第２ミラー１２２ａおよび第３ミラー１２２ｂでそれぞれ反射され、レンズ部材１２３を介してＣＣＤ１２４へ入力されることにより原稿Ｐ１の画像が順次走査されて読み取られるようになっている。かかる走査で得られたアナログ量からなる画面情報は、ＣＣＤ１２４で逐一デジタル信号に変換されたのち図略の記憶装置に一旦記憶され、必要に応じて作像部１３に設けられた感光体ドラム１３１の周面へ向けてレーザー光で出力されるようになっている。
【００３４】
図２は、前記光学系ユニット２０の一実施形態を示す斜視図である。図２に示すように、光学系ユニット２０は、平面視で矩形状を呈した枠体２１と、この枠体２１内に前後方向（図２の紙面の左右方向）へ向けて移動可能に装着された、前記光源ユニット１２１の構成要素である光源枠（光源用枠体）２２と、同移動可能に装着された、前記複数のミラーユニット１２２の構成要素であるミラー枠（ミラー用枠体）２３と、光源枠２２およびミラー枠２３を移動させる駆動源としての駆動モータ２４と、この駆動モータ２４の駆動軸２３１に同心で固定された駆動ドラム２５と、この駆動ドラム２５に巻き付けられた状態で光源枠２２とミラー枠２３とを連結するよう張設されたワイヤ２６とを備えて構成されている。なお、図２においては、図示の簡略化のためにワイヤ２６の張架状態については図示を省略している。
【００３５】
前記枠体２１は、幅方向に延びた一対の横枠２１１と、各横枠２１１の端部間に架設された前後方向に延びる幅方向一対の前後枠２１２とからなっている。各前後枠２１２の対向面には光源枠２２およびミラー枠２３の双方をガイドするガイドレール（ガイド部材）２９がそれぞれ設けられ（図２には図示の都合上、一方のガイドレール２９のみを示している）、光源枠２２およびミラー枠２３は、いずれもこれらのガイドレール２９に案内されつつ円滑に前後動し得るようになっている。光源枠２２およびミラー枠２３のガイドレール２９と対向する部位には摺動部材４０（図４）が設けられ、この摺動部材４０によって光源枠２２およびミラー枠２３はガイドレール２９にガイドされつつ円滑に走行し得るようになっている。摺動部材４０については後に図４を基に詳細に説明する。
【００３６】
図３は、図２に示したような光学系ユニット２０における、前記駆動ドラム２５によるワイヤ駆動系の一例を示した斜視図である。この例の場合、駆動ドラム２５とワイヤ２６により駆動されるプーリーとしては、枠体２１（図２）の前側角部及び後側角部にそれぞれ固定配置される第１固定プーリー２７１および第２固定プーリー２７３と、ミラー枠２３に取り付けられた移動プーリー２７２とが採用されている。これらプーリー２７１〜２７３と駆動ドラム２５との間にはワイヤ２６が巻回張架されている。
【００３７】
前記ワイヤ２６は、第１ワイヤ２６ａと第２ワイヤ２６ｂとで構成されている。第１ワイヤ２６ａは、駆動ドラム２５を起点として、まず第１固定プーリー２７１に対してその下側から架け渡されてから１８０°反転され、次いで移動プーリー２７２の内側溝に上側から架け渡されている。第１ワイヤ２６ａの先端には丸型端子２８１が固着されており、第１ワイヤ２６ａは移動プーリー２７２の位置でさらに１８０°反転されて、前記丸型端子２８１が本体フレームに設けられている掛止部２２１に引っ掛けられている。また第２ワイヤ２６ｂは、同様に駆動ドラム２５を起点として、まず第２固定プーリー２７３に対してその下側から架け渡されてから１８０°反転され、次いで移動プーリー２７２の外側溝に下側から架け渡されている。第２ワイヤ２６ｂの先端にも丸型端子２８２が固着されており、第２ワイヤ２６ｂは移動プーリー２７２の位置でさらに１８０°反転されて、さらにワイヤーガイド２７４で９０°内側に曲げられた状態で、前記丸型端子２８２が本体フレームに固定されている光学テンションバネ２７５に引っ掛けられている。
【００３８】
このようなワイヤ駆動系において、図中点線で略記している光源枠２２は、第１固定プーリー２７１と移動プーリー２７２との間において、そこに架け渡されている第１ワイヤ２６ａに固定されている。また、同様に図中点線で略記しているミラー枠２３には、前述の通り移動プーリー２７２が取り付けられており、該移動プーリー２７２がガイドレール２９に沿って移動することで前後動が可能とされている。ここで駆動ドラム２５が回転すると、ワイヤ２６の張架方向、すなわちワイヤ２６の送り出し方向又は巻き取り方向に移動力が発生し、該移動力により第１ワイヤ２６ａに固定されている光源枠２２が前後動することになる。また移動プーリー２７２には回転移動力が作用し、ミラー枠２３も前後動する。通常、光源枠２２の移動速度はミラー枠２３の２倍となるよう設定され、この速度差により両者は重なり合うように接近したり（図２はその状態を表している）、離間したりする。
【００３９】
図４は、摺動部材４０の一実施形態を示す斜視図であり、（イ）は、摺動部材４０が光源枠２２に装着される直前の状態、（ロ）は、摺動部材４０が光源枠２２に装着された状態、（ハ）は、（ロ）のＡ−Ａ線断面図である。なお、図４では、摺動部材４０が装着される枠体として光源枠２２およびミラー枠２３の内の光源枠２２を例として挙げているが、ミラー枠２３にも摺動部材４０が同様に装着される。
【００４０】
摺動部材４０は、光源枠２２を支持する桁部材２２２に固定された状態でガイドレール２９の上面に当接支持されるものである。かかる摺動部材４０は、図４の（イ）に示すように、通常の硬質の合成樹脂材料（本実施形態においてはＡＢＳ（アクリルニトリルブタジエンスチレン共重合体）またはＰＯＭ（ポリオキシメチレン）が採用されている）によって形成された摺動部材本体４１と、この摺動部材本体４１の略下半分の部位においてコーティング処理によって積層された被膜４２とを備えて構成されている。
【００４１】
前記摺動部材本体４１は、下部が略半円球状を呈して下方へ膨出した半円球部４１１と、この半円球部４１１の上部に一体的に積み重ねられた平面視で径寸法が半円球部４１１の径寸法より若干大きめの鍔部４１２と、この鍔部４１２から同心で上方に向かって延設された円柱状を呈する円柱部４１３とからなっている。
【００４２】
一方、光源枠２２の桁部材２２２には、円柱部４１３が密着状態で嵌入される嵌入孔２２３が穿設され、この嵌入孔２２３に所定の接着剤を介して円柱部４１３が嵌入されることによって、図４の（ロ）に示すように、摺動部材４０が光源枠２２に装着されるようになっている。
【００４３】
前記被膜４２は、高摺動性を備えた丈夫な合成樹脂材料が半円球部４１１に積層されることによって形成されている。本実施形態においては、被膜４２を形成する合成樹脂材料としてフッ素系の樹脂であるＰＴＦＥ（ポリテトラフルオロエチレン）が採用されている。そして、かかるフッ素系の樹脂が所定の合成油であるオレフィン油に混入されて溶解され、この溶解物が所定の速乾性の溶媒であるイソプレン中に分散されることによって形成された速乾性潤滑剤中に摺動部材本体４１の鍔部４１２より下方部分を浸漬し、直ちに引き上げて速乾性溶媒を揮散させることによって摺動部材本体４１の鍔部４１２より下方部分に被膜４２を形成させるようにしている。
【００４４】
このようにして形成された被膜４２は、フッ素樹脂の分子間に合成油の分子が混ざり込んだ状態になっているため、極めて優れた潤滑性能を備えたものになっている。因みに、このような速乾性潤滑剤としては、例えば、関東化成工業株式会社製の商品名「ＨＡＮＡＲＬ  ＫＳ−３９Ｍ」を挙げることができる。
【００４５】
以上詳述したように、本発明に係る画像読取装置である光学系ユニット２０は、光源ランプ１２１ａからの光を原稿Ｐ１の原稿面に照射しながら走行することで原稿面を走査しつつ当該原稿面からの反射光を第１ミラー１２１ｂ、第２ミラー１２２ａおよび第３ミラー１２２ｂ並びにレンズ部材１２３を介してＣＣＤ１２４に入光することにより原稿画像を読み取るように構成されたものであり、光源ランプ１２１ａおよび第１ミラー１２１ｂを備えた光源ユニット１２１を支持する光源枠２２と、第２、第３ミラー１２２ａ，１２２ｂを備えたミラーユニット１２２を支持するミラー枠２３と、これらの光源枠２２およびミラー枠２３の走行をガイドするガイドレール２９と、各枠２２，２３とガイドレール２９との間に介設される当該各枠２２，２３と一体の摺動部材４０とが備えられている。
【００４６】
かかる構成によれば、光源ランプ１２１ａからの光を原稿面に照射しながら光源ユニット１２１およびミラーユニット１２２を支持する光源枠２２およびミラー枠２３をガイドレール２９に沿って走行させることにより、原稿面からの反射光がミラーを介してＣＣＤ１２４に入光され、これによって原稿の原稿画像がデータとして入力される。
【００４７】
そして、各枠２２，２３とガイドレール２９との間には当該各枠２２，２３と一体の摺動部材４０が介設されているため、この摺動部材４０の存在でガイドレール２９にガイドされる枠体の走行が円滑に行われる。しかも、摺動部材４０にはガイドレール２９と摺接する部分に高摺動性を有する被膜４２が形成されているため、枠体の円滑な走行性を確保した上で、従来のように摺動部材４０を全体的に高価な低摩擦性材料で形成させる場合に比較し製造が容易で製造コストの低減化に貢献することができるばかりか、被膜４２は、コーティング処理によって形成されているため潤滑処理が部分的であり、その分材料コストの低減化を達成することができる。
【００４８】
そして、フッ素樹脂は優れた低摩擦性の材料であり、従って、摺動部材４０がフッ素樹脂の被膜４２で覆われることにより各枠２２，２３は円滑に走行することができる。また、特にフッ素系樹脂の被膜４２は、フッ素系の所定の樹脂と所定の合成油とを所定の速乾性溶媒中に分散させることによって形成された速乾性潤滑剤によって形成されているため、かかる被膜４２は、速乾性潤滑剤中に摺動部材４０を浸漬して直ぐに引き上げることにより速乾性の溶媒は直ちに揮散し、これによって摺動部材４０の表面に即座にコーティング処理が施され、摺動部材４０に対するフッ素系樹脂のコーティング処理を容易に行うことができる。
【００４９】
本発明は上記の実施形態に限定されるものではなく、以下の内容をも包含するものである。
【００５０】
（１）上記の実施形態においては、光源枠２２およびミラー枠２３用のものとして一対のガイドレール２９が共用されているが、本発明は、ガイドレール２９が光源枠２２用およびミラー枠２３用として共用されることに限定されるものではなく、専用のものをそれぞれ別々に設けてもよい。
【００５１】
（２）上記の実施形態においては、枠体として光源ユニット１２１を支持する光源枠２２と、ミラーユニット１２２を支持するミラー枠２３とを設け、光源枠２２の移動速度をミラー枠２３の移動速度の２倍とすることで光源枠２２およびミラー枠２３の移動に拘わらず反射光のＣＣＤ１２４へ到る光路長が常に同一になるようになされている、いわゆるＣＣＤ固定方式の光学系ユニット２０が採用されているが、かかるＣＣＤ固定方式の光学系ユニット２０に代えて、同一の枠体に相対的な位置関係を固定した上で光源ユニット、ミラーユニット、レンズ部材およびＣＣＤを搭載した、いわゆるＣＣＤ移動方式の光学系ユニットを採用してもよい。
【００５２】
（３）上記の実施形態においては、摺動部材４０の構成要素である摺動部材本体４１の材料としてＡＢＳまたはＰＯＭが採用されているが、本発明は、摺動部材本体４１がＡＢＳまたはＰＯＭ製であることに限定されるものではなく、フェノール樹脂、ユリア樹脂、メラミン樹脂、不飽和ポリエステル、ジアリルフタレート樹脂、エポキシ樹脂、ポリウレタン、ポリイミド等の熱硬化性樹脂や、塩化ビニル樹脂、塩化ビニリデン樹脂、酢酸ビニル樹脂、ポリエチレン、ＡＳ樹脂、メタリクル樹脂、ポリプロピレン、ポリアミド、ポリアセタール、ポリカーボネート等の熱可塑性樹脂を採用することができる。
【００５３】
（４）上記の実施形態においては、被膜４２を形成する合成樹脂材料としてフッ素系の樹脂であるＰＴＦＥが採用され、かかるフッ素系の樹脂に混入される合成油としてオレフィン油が採用され、さらにこれらフッ素樹脂と合成油との混合物が分散される速乾性の溶媒としてイソプレンが採用されているが、これらに代えてフッ素系樹脂として、ＰＣＴＦＥ（ポリクロロトリフルオロエチレン）、ＰＶＤＦ（ポリビニリデンフルオライド）、ＰＶＦ（ポリビニルフルオライド）、ＰＦＥＰ（テトラフルオロエチレン−ヘキサフルオロプロピレン共重合体）、ＰＦＡ（テトラフルオロエチレン−パーフルオロアルキルビニルエーテル共重合体）、ＰＥＴＦＥ（テトラフルオロエチレン−エチレン共重合体）等を採用することが可能であり、合成油としてエチレンαオレフィンコオリゴマー油、シリコン油、ジエステル油等を採用することが可能であり、速乾性の溶媒としてブテン、プロピレン、クロロエテン、ジクロロエテン、ブタジエン等を採用することが可能である。
【実施例１】
【００５４】
フッ素樹脂系の被膜４２を有する本発明に係る摺動部材４０の性能を確認するための摩耗試験を実施した。この摩耗試験においては、摺動部材４０を備えた光源枠２２およびミラー枠２３のそれぞれについて、ガイドレール２９と摺動した３０万回の往復動を行わせて摺動部材４０の摩耗寸法を測定した。速度は、光源枠２２で１７８ｍｍ／ｓｅｃ、ミラー枠２３で半分の８９ｍｍ／ｓｅｃに設定した。ガイドレール２９は、レール面に鏡面仕上げが施されたステンレススチール製のものを採用した。その表面に潤滑剤は塗布しなかった。往復動の片道のストローク長は、光源枠２２が０．４３５３ｍ、ミラー枠２３がその半分の０．２１７７ｍとした。この寸法は、Ａ３サイズの用紙の走査に要する片道の走行距離である。摺動部材４０の重量は９０ｇであった。光源枠２２の重量は３５５．２ｇであり、ミラー枠２３の重量は３６８．４ｇであった。また、光源枠２２およびミラー枠２３は、いずれも４点で摺動部材４０を介してガイドレール２９に支持されているため、各点の摺動部材４０について摩耗状態を測定している。
【００５５】
かかる実施例との比較のために、比較例として高速機用の摺動部材（全体が特殊なエンジニアリングプラスチックで形成された従来の摺動部材）について実施例と同様の試験を行った。この比較試験では、光源枠の移動速度は４１５ｍｍ／ｓｅｃに設定されているとともに、ミラー枠の移動速度はその半分の２０７．５ｍｍ／ｓｅｃに設定されている以外は、実施例と同一の条件を採用した。試験結果を表１に示す。
【００５６】
【表１】
2007082006.tif 000003
【００５７】
表１によって明らかなとおり、被膜４２が形成されない比較例では、摺動部材の摩耗量は、平均で０．０８３mmであったのに対し、被膜４２を形成した実施例では、摺動部材４０の摩耗量は平均で０．０１１ｍｍであった。これにより、本発明に係る摺動部材４０は、非常に摩耗し難いものであることを確認することができた。
【図面の簡単な説明】
【００５８】
【図１】本発明に係る画像読取装置が適用された画像形成装置の一例を示す側面断面視の説明図である。
【図２】光学系ユニットの一実施形態を示す斜視図である。
【図３】図２に示したような光学系ユニットにおける、前記駆動ドラムによるワイヤ駆動系の一例を示した斜視図である。
【図４】摺動部材の一実施形態を示す斜視図であり、（イ）は、摺動部材が光源枠に装着される直前の状態、（ロ）は、摺動部材が光源枠に装着された状態、（ハ）は、（ロ）のＡ−Ａ線断面図である。
【符号の説明】
【００５９】
１０  画像形成装置          １１  原稿自動送り部
１１５  コンタクトガラス    １２  画像読取部
１２１  光源ユニット        １２１ａ  光源ランプ
１２１ｂ  第１ミラー        
１２２  ミラーユニット      １２２ａ  第２ミラー
１２２ｂ  第３ミラー        １２３  レンズ部材
１２４  ＣＣＤ（イメージセンサ）
１３  作像部                １３１  感光体ドラム
１４  定着部                １５  用紙貯留部
２０  光学系ユニット（画像読取装置）
２１  枠体                  ２１１  横枠
２１２  前後枠              ２２  光源枠（光源用枠体）
２２１  掛止部              ２２２  桁部材
２２３  嵌入孔              ２３  ミラー枠（ミラー用枠体）
２３１  駆動軸              ２４  駆動モータ
２５  駆動ドラム            ２６  ワイヤ
２６ａ  第１ワイヤ          ２６ｂ  第２ワイヤ
２７１  プーリー            ２７１  固定プーリー
２７２  移動プーリー        ２７３  固定プーリー
２７４  ワイヤーガイド      ２７５  光学テンションバネ
２８１，２８２  丸型端子    ２９  ガイドレール（ガイド部材）
４０  摺動部材              ４１  摺動部材本体
４１１  半円球部            ４１２  鍔部
４１３  円柱部              ４２  被膜
Ｐ１  原稿                  Ｐ２  用紙
【図１】
2007082006.tif 000004
【図２】
2007082006.tif 000005
【図３】
2007082006.tif 000006
【図４】
2007082006.tif 000007